(57)【特許請求の範囲】
【請求項１】
内面に非ヒートシール性を付与され、外面にヒートシール性を付与された熱可塑性樹脂フィルムが内面を内側にして筒状に巻回され、このフィルムの相対向する両端が内向きに折り込まれて重ね合わされ、この重ね合わされた両折込部の外面同士がヒートシールされることにより筒体とされたことを特徴とする注出口用筒状部材。
【発明の詳細な説明】
【技術分野】
【０００１】
本発明は、袋、箱等の包装体における注出口用筒状部材に関する。
【背景技術】
【０００２】
袋、箱等の包装体には、内容物を簡易に充填したり、取り出したりするために筒状の注出口部材が取り付けられているものがある。この種の注出口部材には、袋のシール部内にパイプ状の筒状部材を埋設したもの（例えば、特許文献１参照）がある。
【先行技術文献】
【特許文献】
【０００３】
【特許文献１】特開平５−１３２０６９号公報
【発明の概要】
【発明が解決しようとする課題】
【０００４】
従来の筒状部材は内容物の流れを良くするために比較的硬いパイプで作られているので、袋等の包装体内から内容物を残らず注出させることが困難である。
【０００５】
したがって、本発明は包装体内から内容物を残らず注出させることができる注出口用筒状部材であって、包装体に取り付けやすくした注出口用筒状部材を提供することを目的とする。
【課題を解決するための手段】
【０００６】
上記課題を解決するため、本発明は次のような構成を採用する。
【０００７】
なお、本発明の理解を容易にするため括弧付きの符号を付すが、本発明はこれに限定されるものではない。
【０００８】
すなわち、請求項１に係る発明は、内面（５）に非ヒートシール性を付与され、外面（６）にヒートシール性を付与された熱可塑性樹脂フィルム（４）が内面（５）を内側にして筒状に巻回され、このフィルム（４）の相対向する両端が内向きに折り込まれて重ね合わされ、この重ね合わされた両折込部（２，３）の外面（６）同士がヒートシールされることにより筒体とされた注出口用筒状部材（１）を採用する。
【発明の効果】
【０００９】
本発明によれば、包装体（１０）から液体等の内容物の大半を取り出した後、筒状部材（１）を扁平に押し潰すことができるので、内容物のすべてを残すところなく包装体（１０）外に取り出すことが可能である。従って、例えば詰め替え容器の注出口に適用した場合は内容物のほとんど全部を取り出して利用することができるのですこぶる便宜である。また、筒状部材（１）を包装体（１０）にヒートシールによって取り付ける際に、筒状部材（１）の包装体（１０）に取り付けられる部分の内面（５）同士が接着しないため、通常の装置で筒状部材（１）を包装体（１０）に取り付けることができる。さらに、フィルム（４）の折込部（２，３）が筒体の内側へ突出するとともに、両折込部（２，３）の内面（５）と、両折込部（２，３）の内面（５）と対向する筒状部材（１）の内面（５）はその非ヒートシール性のために接着していないので、筒体は拡開方向に付勢されることとなり、従って、筒状部材（１）を介した内容物の充填又は注出が円滑化される。
【図面の簡単な説明】
【００１０】
【図１】本発明に係る筒状部材の正面図である。
【図２】図１中、ＩＩ−ＩＩ線矢視断面図である。
【図３】筒状部材を製造する工程の説明図である。
【図４】筒状部材の基部を袋の装着部に取り付け、しかる後に筒状部材の先部を超音波シール等によって閉じた状態を示す部分切欠正面図である。
【発明を実施するための形態】
【００１１】
以下、図面を参照して本発明を実施するための形態について説明する。
【００１２】
図１及び図２に示すように、この筒状部材１は、内面５に非ヒートシール性を付与され、外面６にヒートシール性を付与された長方形のフィルムが内面５を内側にして筒状に巻回され、このフィルムの相対向する両端が内向きに折り込まれて重ね合わされ、この重ね合わされた両折込部２，３の外面６同士がヒートシールされることにより筒体とされる。なお、フィルムは正方形としてもよい。
【００１３】
上記フィルムとしては、熱可塑性樹脂からなり、その内面５に非ヒートシール性を付与され、外面６にヒートシール性を付与されたものが用いられる。
【００１４】
ここで、本発明における非ヒートシール性の熱可塑性樹脂とは、フィルム４の両折込部２，３の外面６同士がヒートシールされるときや筒状部材１が包装体１０にヒートシールされるときに溶融せず、且つ、超音波シール法や高周波シール法により溶着できる熱可塑性樹脂を指し、ヒートシール性の熱可塑性樹脂に比べて融点が高い熱可塑性樹脂が用いられる。
【００１５】
ヒートシール性の熱可塑性樹脂としては、低密度ポリエチレンや線状低密度ポリエチレン等のポリオレフィン樹脂が挙げられる。また、非ヒートシール性の熱可塑性樹脂としては、高密度ポリエチレン樹脂やポリプロピレン等のポリオレフィン樹脂、ポリエチレンテレフタレート等のポリエステル樹脂、ポリアミド樹脂が挙げられるが、ポリエステル樹脂やポリアミド樹脂が好ましい。
【００１６】
具体的なフィルムの構成としては、延伸ポリアミド樹脂（内層）／ポリエチレン（外層）、延伸ポリエチレンテレフタレート樹脂（内層）／ポリエチレン（外層）、ポリエチレンテレフタレート樹脂（内層）／延伸ポリアミド樹脂／ポリエチレン（外層）等の積層フィルムが用いられる。フィルムの厚さは望ましくは１００μｍ〜５００μｍ程度である。フィルムの厚さが１００μｍ未満であると筒状部材としての強度が不足し、５００μｍより厚いと、注出口として使用した場合に内容物を残らず注出させることが困難になる。
【００１７】
このフィルムは、ウェブ状のフィルムから長方形に切り出すことによって得ることができる。この長方形のフィルム４が筒状に巻回され、図２のごとく両端がのり代として内向きに折り込まれ、この折り込まれた両折込部２，３の外面６同士がヒートシールされることによって筒体とされる。
【００１８】
上記フィルム４の筒体への形成は、フィルム４の内面５の非ヒートシール性を利用することによって簡易かつ正確に行われる。すなわち、図３に示すように、フィルム４が筒状に巻回され、折込部２，３が筒体の内側へと折り込まれたうえで、筒体の外面６側から筒体の折込部２，３に対応する箇所が一対のヒートシール盤１３，１４で加熱されつつ加圧されると、上記フィルム４は両折込部２，３の相対向する外面６同士の熱融着により図１及び図２のごとく筒状部材１として仕上げられる。このとき、フィルム４の両折込部２，３の内面５と、フィルム４の両折込部２，３の内面５に対向する内面５はヒートシールされない。
【００１９】
次に、上記構成の筒状部材の作用について説明する。
【００２０】
図１及び図２に示した筒状部材１が、図４のごとく包装体であるパウチ１０の所定箇所に取り付けられ、パウチ１０の注出口とされる。
【００２１】
すなわち、重なり合ったパウチ用フィルム間に筒状部材１の基部が挿入され、パウチ用フィルムごと図示しない一対のヒートシール盤によって加熱されつつ加圧される。
【００２２】
その際、基部の内面５に付与された非ヒートシール性によって筒状部材１の内面５は融着せず導通状態を維持する。そして、基部のヒートシール性のある外面６のみがパウチ用フィルムのヒートシール性のある内面に融着する。
【００２３】
この注出口付きパウチ１０は図示しない充填機に装填され、詰替え用の洗剤等が内容物としてパウチ１０内に充填される。この場合、筒状部材１から内容物をパウチ１０内に充填してもよい。このとき、筒状部材１は折込部２，３の存在によって拡開しようとするので、充填用ノズル等を筒状部材１内に容易に挿入することができる。
【００２４】
また、筒状部材１の先部が超音波シール又は高周波シールされることによって図４に示すように扁平な封緘部１ａとなって閉じられる。
【００２５】
なお、筒状部材１を充填口として使用しない場合は、先部に封緘部１ａを形成した筒状部材１を包装体に取り付けるようにしてもよい。
【００２６】
図４に示すように、望ましくは折込部２，３が扁平な封緘部１ａの端に来るようにヒートシールされる。
【００２７】
なお、要すれば、図４に示すように、封緘部１ａとなった箇所よりも中央寄りの箇所に、半切れ状の切り裂き用溝１１が筒状部材１の全周にわたって伸びるように刻設される。この溝１１は例えばレーザー光の照射によって形成される。この溝１１は、フィルム４の段階で形成することもできるし、図１のごとく筒状に巻回した後、あるいは図４のごとく先部の封緘後に形成することもできる。
【００２８】
また、溝１１が筒状部材１における折込部２，３と交差する箇所を超音波シール又は高周波シールにより熱融着した後、開封を容易にするための切欠１２を形成するようにしてもよい。
【００２９】
上記密封されたパウチ１０から内容物を取り出す際は、筒状部材１の封緘部１ａとなった先部が切除される。開封後、筒状部材１はその折込部２，３の存在により拡開方向に付勢されて筒状に広がる。従って、内容物はパウチ１０外に流出しやすい。また、内容物の大半がパウチ１０外に流出した後、筒状部材１は容易に扁平に押し潰すことが可能であるから、内容物はパウチ１０内に残留することなくほとんど全量がパウチ１０外へ取り出される。
【００３０】
なお、本発明は、上記実施の形態に限定されるものではなく、種々の変更が可能である。
【符号の説明】
【００３１】
１…筒状部材
２，３…折込部
４…熱可塑性樹脂フィルム
５…熱可塑性樹脂フィルムの内面
６…熱可塑性樹脂フィルムの外面
【図１】
0005957928.tif 000002
【図２】
0005957928.tif 000003
【図３】
0005957928.tif 000004
【図４】
0005957928.tif 000005